(57)【要約】  缶（Ｌ）は、ベントパネル（１１）と、注ぎ口パネル（１２）とを組み込んだ端壁（１０）を有している。両方のパネルは、破断可能であり、断裂ライン（１１ａ、１２ａ）によって規定された輪郭を示している。第１の作動タブ（３０）は、ベントパネル（１１）とともに缶（Ｌ）から分離するように、ベントパネル（１１）に外側に取り付けられ、手動で、かつ角度的に変位可能である。ベントパネル（１１）が除去された後に作動する場合がある、第２の作動タブ（４０）は、注ぎ口パネル（１２）に外側に取り付けられ、端部下方歯（４６）が設けられている。端部下方歯（４６）は、第２の作動タブ（４０）が変位された際に、注ぎ口パネル（１２）の断裂ライン（１２ａ）に対して押圧され、それにより、最初に断裂ライン（１２ａ）のスポット領域（１２ｂ）を破断し、次いで、前記端壁（１０）から注ぎ口パネル（１２）を分離するようになっている。
2019535608.tif 000002
【特許請求の範囲】
【請求項１】
破断可能な方法で、ベントパネル（１１）と、このベントパネル（１１）から離間した注ぎ口パネル（１２）とを組み込んでいる端壁（１０）を備えたタイプの飲料缶の開口に関する、構造的配置であって、
この構造的配置は、前記パネル（１１、１２）が、全体として断裂ライン（１１ａ、１２ａ）によって規定されたパネルの輪郭を有し、
この構造的配置には、第１の作動タブ（３０）と、第２の作動タブ（４０）とが、やはり設けられており、
第１の作動タブは、
ベントパネル（１１）の外側に取り付けられた、引抜き端部分（３１）と、
手動で、かつ、角度的に、缶（Ｌ）の端壁（１０）から離れて変位可能であるとともに、ベントパネル（１１）とともに、缶（Ｌ）から分離される、グリップ端部分（３２）と、を有し、
第２の作動タブ（４０）は、パンチ端部分（４１）であって、ベントパネル（１１）が除去された後に任意選択的に作動され、一体のピースでヒンジ領域（４３ａ）を通して、第２の作動タブ（４０）から切られるとともに、注ぎ口パネル（１２）に外側に取り付けられた第２の作動タブ（４０）の部分を規定する、タブ部分（４３）を組み込んでいる、パンチ端部分を有し、
前記タブ部分（４３）には、注ぎ口パネル（１２）の輪郭を規定する断裂ライン（１２ａ）の、対面しているスポット領域（１２ｂ）に対して押圧される端部下方歯（４６）が設けられており、
前記第２の作動タブ（４０）は、グリップ端部分（４２）をさらに有し、
このグリップ端部分の、缶（Ｌ）の端壁（１０）から離れる手動の角度変位が、最初に断裂ライン（１２ａ）の前記スポット領域（１２ｂ）を破断し、次いで、前記端壁（１０）の注ぎ口パネル（１２）を分離することを特徴とする、構造的配置。
【請求項２】
切欠き（４４）が、ヒンジ領域（４３ａ）に開いた丸い「Ｃ」の形態を示すことを特徴とする、請求項１に記載の配置。
【請求項３】
第１の作動タブ（３０）の引抜き端部分（３１）が、単一のピースで、ヒンジ領域（３３ａ）を通して、タブ部分（３３）を組み込んでおり、このタブ部分（３３）が、切欠き（３４）により、それぞれの作動タブ（３０）から切られており、前記タブ部分（３３）が、ベントパネル（１１）の外側に取り付けられている第１の作動タブ（３０）の部分を規定することを可能にしていることを特徴とする、請求項１または請求項２に記載の配置。
【請求項４】
切欠き（３４）が、ヒンジ領域（３３ａ）に開いた、丸い「Ｃ」の形態を呈すことを特徴とする、請求項３に記載の配置。
【請求項５】
第１の作動タブ（３０）の引抜き端部分（３１）が、対面する断裂ライン（１１ａ）のスポット領域（１１ｂ）に対して押圧される端部下方歯（３６）を組み込んでおり、第１の作動タブ（３０）のグリップ部分（３２）の、ヒンジ領域（３３ａ）周りの上昇する角度的な変位がされると、ベントパネル（１１）の最初の断裂、次いで、断裂ライン（１１ａ）の完全な断裂、ならびに、缶（Ｌ）に対する、ベントパネル（１１）および第１の作動タブ（３０）の完全な分離を引き起こすことを特徴とする、請求項３または請求項４に記載の配置。
【請求項６】
第１の作動タブ（３０）の引抜き部分（３１）と、第２の作動タブ（４０）のパンチ部分（４１）とが、それぞれ、ベントパネル（１１）と、注ぎ口パネル（１２）とに、リベット（３５ａ、４５ａ）の形態の保持手段（３５、４５）を通して取り付けられていることを特徴とする、請求項１から請求項５のいずれか一項に記載の配置。
【請求項７】
第２の作動タブ（４０）のグリップ端部分（４２）が、環状形状を呈し、ベントパネル（１１）の断裂ライン（１１ａ）の軸方向の突起が、第２の作動タブ（４０）のグリップ部分（４２）の環状形状の内部に包含されていることを特徴とする、請求項１から請求項６のいずれか一項に記載の配置。
【請求項８】
第１の作動タブ（３０）の引抜き端部分（３１）が、第２の作動タブ（４０）の、環状のグリップ端部分（４２）を通って位置しており、第１の作動タブ（３０）のグリップ端部分（３２）が、第２の作動タブ（４０）のパンチ端部分（４１）上に位置し、第１の作動タブ（３０）の引抜き端部分（３１）が、第２の作動タブ（４０）のグリップ端部分（４２）の下に位置していることを特徴とする、請求項７に記載の配置。
【発明の詳細な説明】
【技術分野】
【０００１】
本発明は、実用新案の性質の下で、ベント開口、および、任意選択的には、注ぎ口を、缶の端壁、通常は上壁か蓋に設けることにより、迅速かつ容易に開けることを可能にするための飲料缶に適用される新たな構造的配置に関する。この新たな構造的配置は、ユーザ／顧客が第１の、また、所望であれば第２の作動タブを手動で作動させた際に、前記開口の各々の開放の直後に、前記２つの作動タブが、ベントおよび注ぎ口をそれぞれ形成するベントパネルおよび注ぎ口パネルとともに、缶の上端壁から容易かつ迅速に取り外されることを可能にする。
【背景技術】
【０００２】
それぞれ、ベント開口および注ぎ口を形成するために、第１の断裂可能なパネルおよび第２の断裂可能なパネルが設けられた端壁を有する缶であって、ベント開口が、飲料が缶から注ぎ口を通して外に注がれている間、空気が、缶内に、ベント開口を通して継続して入ることを可能にするために、ベント開口は、注ぎ口から直径方向に離間しており、それにより、缶が水平な位置に対して傾けられた際に、ベント開口は、注ぎ口に対して上方に位置することが想定されるようになっている、缶の使用が、最新技術では広く知られている。ベント開口を設けることにより、一様な流れで、より迅速に、飲料が缶から放出されることを可能にしている。
【０００３】
ブラジル国実用新案第２０  ２０１６  ０００９１５−０号明細書、ブラジル国実用新案第２０  ２０１６  ００６０３５−０号明細書、および、米国特許出願公開第２０１４／０２６３３２０号明細書の特許文献は、上述の構造のタイプを示している。これら文献によれば、ユーザ／顧客の、単一の作動タブに対する動作により、最初に、第１のパネル（ベントパネル）の断裂を促し、注ぎ口を通しての飲料の排出を促進するためのベント開口が形成される。注ぎ口は、単一の作動タブに対する、ユーザ／顧客の前進的な動作により、第２のパネルが断裂されると次いで形成される。
【０００４】
２つの破断可能なパネルを有する前記既知の飲料缶では、単一の作動タブの作動が、ベントパネルの除去によるベント開口のみならず、それに次ぐ、第２の破断可能なパネル、または注ぎ口パネルを、缶の内部に押圧することによって、注ぎ口の強制的な形成をもたらす。注ぎ口パネルは、低減されておらず、弱化されていない、その破断可能な輪郭の延長部の周りで曲げられる。この延長部は、缶のそれぞれの端壁の、金属フォイル自体によって規定されたヒンジとして動作する。この既知の構成では、注ぎ口パネルが、缶の端壁に取り付けられたままになっており、缶の内部に突出し、飲料と接触したままになるとともに、この飲料に、ユーザ／顧客の経口摂取に関し、すべての病原性の微生物を送る。注ぎ口パネルが開かれる前、および、主として、「飲用グラス」として使用される前に、まれな有効な洗浄を缶が受けていない場合、通常、前記缶の端壁または蓋の外側に、病原性の微生物が存在する。缶に取り付けられた且つ缶の内部に突出する、注ぎ口パネルを維持するのに加え、単一のタブを有するこの解決策は、飲料を吸引するためのストローを導入するのに使用されるベント開口のみを形成するために、ユーザ／顧客が、ベントパネルの破断のみを促進することを妨げる。
【０００５】
一方、ブラジル国特許ＰＩ０４０３３２４−８号明細書の特許の解決策により、２つの作動タブが提供されている。この解決策は、ベント開口を形成するため、および、注ぎ口を形成するように任意選択的に引っ張られる、他の作動タブにアクセスすることを可能にするために、ユーザ／顧客が、１つの作動タブを引っ張ることを必要とする。飲料を吸引するように、ストローを導入するためのベント開口の形成のみを可能にするが、前記従来の解決策は、注ぎ口を形成した際の、缶の内部への注ぎ口パネルの突出を維持することの不便さを除去していない。
【０００６】
英国特許第３５３，５９８号明細書、米国特許第３，６５５，０９１号明細書、米国特許第４，０４２，１４４号明細書、米国特許第４，９１３．３０５号明細書、および、ブラジル国実用新案第２０  ２０１４  ０３２０６７−４号明細書の特許文献には、単一のレバーまたはタブにより、缶の端壁に注ぎ口パネルの開口を提供するための異なる構成が記載されている。この単一のレバーまたはタブは、ユーザ／顧客によって作動される場合、最初に、注ぎ口パネルの破断可能な輪郭の弱化ラインに局所的な断裂を促し、次いで、タブまたはレバーがユーザ／顧客によって引っ張られることを可能にし、注ぎ口パネルの輪郭全体の断裂を完了する。この注ぎ口パネルは、次いで、缶から外され、缶の内部に押し込まれること、および、貯蔵された飲料に触れることの不便性は存在しない。
【０００７】
注ぎ口パネルを缶の内側に曲げる問題を除去する一方、前の段落で述べられた構造的な解決策は、一様な流れでより迅速に、飲料が缶から放出されることを可能にするために、ユーザ／顧客が、ベント開口を設けることを可能にはしていない。
【０００８】
米国特許第３，４７７，６０８号明細書の特許文献には、単一のレバーまたはタブにより、缶の端壁における、ベント開口の形成、および、次いで、注ぎ口の形成を提供する、構造的解決策が開示されている。この単一のレバーまたはタブは、ユーザ／顧客によって作動される場合、最初に、ベントパネルの完全な断裂、および、注ぎ口パネルの破断可能な輪郭の弱化ラインの局所的な断裂を促し、次いで、単一のレバーがユーザ／顧客によって引っ張られることを可能にし、注ぎ口パネルの輪郭全体の断裂を完了する。この注ぎ口パネルは、次いで、缶から外され、缶の内部に押し込まれること、および、貯蔵された飲料に触れることの不便性は存在しない。
【０００９】
注ぎ口パネルを缶の内部に曲げる問題、および、注ぎ口とベント開口との両方を設ける問題を解決しているが、米国特許第３，４４７，６０８号明細書の文献に記載の構成は、注ぎ口の形成によって、生じる分裂を発生させるリスクなしに、通常のストローによって飲料を吸引するために、ベント１つのみを開くことを促進することが望ましい場合に、ユーザ／顧客に、このベント１つのみを開くことを促進することを許容していない。こ分裂により、寸法が大きくなる。これら解決策では、単一のタブまたはレバーが両方の開口を強制的に形成することを促進する。
【先行技術文献】
【特許文献】
【００１０】
【特許文献１】ブラジル国実用新案第２０  ２０１６  ０００９１５−０号明細書
【特許文献２】ブラジル国実用新案第２０  ２０１６  ００６０３５−０号明細書
【特許文献３】米国特許出願公開第２０１４／０２６３３２０号明細書
【特許文献４】ブラジル国特許第ＰＩ０４０３３２４−８号明細書
【特許文献５】英国特許第３５３，５９８号明細書
【特許文献６】米国特許第３，６５５，０９１号明細書
【特許文献７】米国特許第４，０４２，１４４号明細書
【特許文献８】米国特許第４，９１３．３０５号明細書
【特許文献９】ブラジル国実用新案第２０  ２０１４  ０３２０６７−４号明細書
【特許文献１０】米国特許第３，４７７，６０８号明細書
【発明の概要】
【発明が解決しようとする課題】
【００１１】
上述の、および、既知の解決策に関する欠点に起因して、飲料缶の開口に関する構造的配置を提供することが、本発明の目的である。この構造的配置では、ユーザ／顧客に、ベント開口の形成、および、次いで、所望の場合は、ベント開口から離間した注ぎ口の形成を可能にする。ベント開口と注ぎ口との両方は、缶の端壁のそれぞれのパネルによって形成される。これらパネルは、ベント開口および注ぎ口を形成し、缶から外向きに、完全に取り外される。
【課題を解決するための手段】
【００１２】
本構造的配置は、ベントパネルと、このベントパネルから離間した、より大きい輪郭の注ぎ口パネルとがその端壁に規定された、端壁を備えるタイプの飲料缶に適用される。
【００１３】
本発明によれば、両方のパネルは、断裂ラインによって全体的に規定された、その輪郭を有している。構造的配置には、第１の作動タブと第２の作動タブも設けられている。第１の作動タブは、ベントパネルに取り付けられた、引抜き端部分と、缶の端壁から離れて手動で、かつ角度的に変位されてベントパネルとともに端壁から分離される、グリップ端部分と、を有する。第２の作動タブは、ベントパネルが除去された後に、任意選択的に作動され、パンチ端部分とグリップ端部分を提供する。パンチ端部分は、外側で注ぎ口パネルに取り付けられており、且つ、注ぎ口パネルの輪郭を規定する、対面する断裂ライン、のスポット領域、に対して押圧される下方端部歯が設けられている。グリップ端部分は、缶の端壁から離れる手動による角度変位が、最初に断裂ラインの前記スポット領域を破断し、続いて、前記端部から注ぎ口パネルを分離する。
【００１４】
本発明は、本件の構造的配置に関する可能性のある実施形態の例として与えられる添付図面を参照して、以下に説明される。
【図面の簡単な説明】
【００１５】
【図１】閉じた状態であり、本発明で提案されている第１の作動タブおよび第２の作動タブが設けられた、本明細書で考慮されるタイプの飲料缶の上部平面図である。
【図２】図１の缶の上部の、直径に沿った拡大断面図であり、この缶の上にスタックされた他の缶の底部をさらに示している。
【図２Ａ】図２に示す缶の上部の中心領域の、拡大した詳細な図である。
【図３】図１の缶の上部の、直径に沿った拡大断面図であり、第２の作動タブが、まだ作動しておらず、注ぎ口パネルが、まだ端壁から外されていないが、ベント開口を形成するために、ベントパネルの、端壁からの分離を開始するために、第１の作動タブが、ユーザ／顧客によって変位されている。
【図４】図１の缶の上部の、直径に沿った拡大断面図であり、第１の作動タブ、および、関連するベントパネルが、すでに、缶から外されるとともに廃棄され、また、第２の作動タブのグリップ部分が、最初の上昇する角度変位をすでに受け、それぞれの断裂ラインの断裂を生じ、その断裂ラインの領域において、第２の作動タブの端部下方歯に対面している。
【図５】図４に示す直径に沿った断面図であるが、第２の作動タブのグリップ部分が、すでに缶の端壁から明らかに変位しており、注ぎ口を形成するために、断裂ラインの残りの部分の断裂、および、缶に対する注ぎ口パネルの結果として生じる分離を開始している。
【図６】図５に示す直径に沿った断面図であるが、ベントおよび注ぎ口の形成のために、２つの作動タブと、２つのパネルとの全体が、缶から外され、廃棄されている。
【発明を実施するための形態】
【００１６】
添付図面に示し、上に説明したように、本構造的配置は、端壁１０を備えるタイプの飲料缶Ｌに適用される。端壁１０は、通常は、缶Ｌの、通常は円筒状である側壁２０の端部の一方に規定された隣接する縁部２１によって囲まれた上蓋の形態である。端壁１０は、離間し、概して、直径に沿って反対側に配置された、ベントパネル１１と注ぎ口パネル１２とを組み込んでいる。注ぎ口パネル１２の輪郭が、通常は、ベントパネル１１の輪郭よりかなり大きいことに留意されたい。
【００１７】
本発明の第１の態様によれば、ベントパネル１１と注ぎ口パネル１２とは、それぞれの断裂ライン１１ａ、１２ａによって全体的に規定されたそれらの輪郭を有している。断裂ライン１１ａ、１２ａは、それぞれ、ベント開口Ａ１（図４、図５、図６に示す）の形成、次いで、任意選択的には、注ぎ口Ａ２（図５および図６によりよく示されている）の形成のためにベントパネル１１と注ぎ口パネル１２との輪郭に沿って、前記それぞれのパネルが断裂されることを可能にする。このタイプの缶は、当該技術でよく知られている様々な方法で構築される場合があり、本発明の一部ではない。
【００１８】
缶Ｌは、単一のピースに、かつ、本件での使用に適切な任意の金属合金で構築され、引抜き端部分３１を有し、保持要素３５によってベントパネル１１の外側に取り付けられた、第１の作動タブ３０をさらに備えている。保持要素３５は、任意の既知の構成であり、たとえば、リベット３５ａの形態を取る場合があり、端壁１０のベントパネル１１に密閉するように組み込まれている。第１の作動タブ３０は、グリップ端部分３２をさらに備えている。グリップ端部分３２は、概して環状の形状であり、手動で、かつ角度的に、缶Ｌの端壁１０から離れて変位され、ベントパネル１１の断裂ライン１１ａを破断し、図４に示すように、ベントパネル１１を缶Ｌの端壁１０から分離する。
【００１９】
第１の作動タブ３０の引抜き端部分３１は、単一のピースで、ヒンジ領域３３ａを通して、タブ部分３３を組み込んでいる場合がある。タブ部分３３は、ヒンジ領域３３ａに対して開いた、丸い「Ｃ」の形態の切欠き３４により、第１の作動タブ３０から切られ、前記タブ部分３３が、ベントパネル１１の外側で保持要素３５に取り付けられた第１の作動タブ３０の部分を規定することを可能にする。
【００２０】
第１の作動タブ３０の引抜き端部分３１は、端部下方歯３６をさらに組み込んでいる場合がある。端部下方歯３６は、前記断裂ライン１１ａの対面するスポット領域１１ｂに対して押圧するように、切欠き３４、および、タブ部分３３のヒンジ領域３３ａの外側の領域において、ベントパネル１１の断裂ライン１１ａの上に位置している。それにより、前記スポット領域１１ｂの断裂ラインを破断し、ベントパネル１１の最初の断裂が発生するまで、第１の作動タブ３０のグリップ部分３２の上方への角度変位を、ヒンジ領域３３ａ周りで実施し得る。第１の作動タブ３０の角度変位の前進的な上昇により、断裂ライン１１ａを完全に断裂し、結果として、缶Ｌに対してベントパネル１１および第１の作動タブ３０を完全に断裂させる。
【００２１】
端部下方歯３６が設けられている場合、最初はタブ部分３３のヒンジ領域３３ａの周りの、第１の作動タブ３０の手動かつ角度的な変位が、最初の、かつ、最終的には局所的な断裂ライン１１ａの断裂を生じる。作動タブ３０の、前進的な、手動の、角度の、かつ上昇する変位により、ベントパネル１１の断裂ライン１１ａの完全な断裂が生じる。ベントパネル１１は、こうして、保持要素３５とともに、缶Ｌから一体に取り外され、ベント開口Ａ１を形成する（図４、図５、および図６を参照）。この開口Ａ１は、好ましくは、ストローを受領することができるような寸法であり、ユーザがこの方法で飲料を吸引することを望む場合、こぼれるリスクを低減している。
【００２２】
本構造的配置は、知られている、任意の既知の構成であり、たとえば、端壁１０の注ぎ口パネル１２に密閉するように組み込まれたリベット４５ａの形態を取る場合がある、保持要素４５により、注ぎ口パネル１２の外側に取り付けられたパンチ端部分４１と、環状形状の、グリップ端部分４２とを有する、第２の作動タブ４０をさらに備えている。グリップ端部分４２は、注ぎ口パネル１２の断裂ライン１２ａを破断し、注ぎ口パネル１２を全体的に、缶Ｌの端壁１０から分離し、注ぎ口Ａ２を形成するために、第１の作動タブ３０が除去された後に、缶Ｌの壁１０から外に、手動で、角度的に変位される場合がある（図５および図６を参照）。この構成により、ベントパネル１１の断裂ライン１１ａの軸方向の突起が、第２の作動タブ４０のグリップ部分４２の環状形状の内部に包含されることを可能にする。
【００２３】
第２の作動タブ４０のパンチ端部分４１は、単一のピースで、ヒンジ領域４３ａを通して、タブ部分４３を組み込んでいる。タブ部分４３は、ヒンジ領域４３ａに対して開いた、丸い「Ｃ」の形態の切欠き４４により、第２の作動タブ４０から切られ、前記タブ部分４３が、注ぎ口パネル１２の外側で保持要素４５に取り付けられた第２の作動タブ４０の部分を規定することを可能にする。
【００２４】
第２の作動タブ４０のパンチ端部分４１は、端部下方歯４６をさらに組み込んでいる。端部下方歯４６は、注ぎ口パネル１２の断裂ライン１２ａの上に位置し、それにより、タブ部分４４の切欠き４４およびヒンジ領域４３ａの外側の、断裂ライン１２ａの対面するスポット領域１２ｂに対して押圧されるようになっている。それにより、前記スポット領域１２ｂの断裂ラインを破断し、注ぎ口パネル１２の最初の断裂が発生するまで、第２の作動タブ４０のグリップ部分４２の上方への角度変位を、ヒンジ領域４３ａ周りで効果を発揮させる。第２の作動タブ４０の角度変位の前進的な上昇により、断裂ライン１２ａを完全に断裂し、結果として、缶Ｌに対して、注ぎ口パネル１２、保持要素４５、および第２の作動タブ４０を完全に分離させる。
【００２５】
図示の構成では、第１の作動タブ３０の引抜き端部分３１は、第２の作動タブ４０の、環状形状のグリップ端部分４２を通って位置しており、第１の作動タブ３０のグリップ端部分３２は、第２の作動タブ４０のパンチ端部分４１上に位置し、第１の作動タブ３０の引抜き端部分３１は、第２の作動タブ４０のグリップ端部分４２の下に位置している。
【００２６】
上述の構成により、ユーザ／顧客が、ストローを使用せずに、缶から直接飲料を吸引することを望む場合、ユーザは、最初に、ベントパネル１１を、第１の作動タブ３０とともに取り外すことが必要である。続いて、ユーザ／顧客は、手動で、かつ角度的に、第２の作動タブ４０のグリップ部分４２を変位させる場合があり、それにより、第２の作動タブ４０を、缶Ｌの端壁１０から、注ぎ口パネル１２とともに取り外す。
【００２７】
図１および図２に示すように、ベントパネル１１および注ぎ口パネル１２が依然として閉じられている状況では、第１の作動タブ３０および第２の作動タブ４０は、缶Ｌの端壁１０と、缶Ｌの周縁部２１の平面との間に位置したままであり、図２に示すように、この缶Ｌの上にスタックされた同一の缶Ｌの底部に干渉することはない。
【００２８】
このため、本明細書に提案されている構造的な解決策により、ユーザ／顧客が、第１の作動タブ３０を移動することによってベント開口Ａ１のみを形成するか、続いて、第２の作動タブ４０を変位させることにより、注ぎ口Ａ２をも形成するかを選択することが可能になる。しかしながら、前記２つのパネルのいずれか一方が、それぞれの開口を提供すると、缶Ｌの内部に突出することなく、缶Ｌの上壁１０から完全に取り外されることに留意されたい。
【００２９】
上の記載に関して、本発明の構成要素に関する理想的な寸法上の関係が、様々なサイズ、材料、幾何学的形状、機能、動作モード、取付け構成、および用途を含むために、当業者には明らかであるものとみなされること、ならびに、図面に示し、本明細書に記載したものと均等である、すべての関係は、本発明によって包含されるものと理解されるべきであることを、理解されたい。
【００３０】
このため、本発明を実施する１つの方法のみが、本明細書に示されているが、本明細書に添付の特許請求の範囲に規定された保護の範囲から逸脱することなく、部分の形状および形成に関する変更を行うことができることを理解されたい。
【図１】
2019535608.tif 000003
【図２】
2019535608.tif 000004
【図２Ａ】
2019535608.tif 000005
【図３】
2019535608.tif 000006
【図４】
2019535608.tif 000007
【図５】
2019535608.tif 000008
【図６】
2019535608.tif 000009
【国際調査報告】
2019535608.tif 000010
2019535608.tif 000011
2019535608.tif 000012